(57)【要約】  少なくともトールモード及びショートモードで動作可能なサブピクセル化された画素を有するディスプレイパネルにおいて画素の高さを調整する方法は、ディスプレイパネルに接続された検出器において、ディスプレイを視聴する視聴者の位置を検出する段階と、プロセッサにおいて、視聴者に関する垂直視聴角度を計算する段階と、プロセッサにおいて、計算された垂直視聴角度が所定の垂直視野角範囲内であるか否かを判定する段階と、プロセッサが、判定する段階の結果として、ディスプレイパネルの動作に関してトールモード又はショートモードを選択する段階とを含む。別の実施形態は、この要約で説明する機能から逸脱できるので、この要約は、限定しているとみなすべきではない。【選択図】      図２
2015513687.tif 000002
【特許請求の範囲】
【請求項１】
少なくともトールモード及びショートモードで動作可能なサブピクセル化された画素を有するディスプレイパネルにおいて画素の高さを調整する方法であって、該方法は、
前記ディスプレイパネルに接続された検出器において、前記ディスプレイを視聴する視聴者の位置を検出する段階と、
プロセッサにおいて、視聴者に関する垂直視聴角度を計算する段階と、
前記プロセッサにおいて、前記計算された垂直視聴角度が所定の垂直視野角範囲内であるか否かを判定する段階と、
前記プロセッサが、前記判定する段階の結果として、前記ディスプレイパネルの動作に関してトールモード又はショートモードを選択する段階と、
を含む方法。
【請求項２】
前記垂直視聴角度が前記所定の垂直視野角範囲内である場合には、前記ディスプレイは、前記トールモードで動作し、前記垂直視聴角度が前記所定の垂直視野角範囲内である場合には、前記ディスプレイは、前記ショートモードで動作する、請求項１に記載の方法。
【請求項３】
前記検出器は、視聴者を検出するように構成されたビデオカメラを含み、前記プロセッサは、前記ディスプレイパネルに対する前記視聴者の垂直位置を求める、請求項１に記載の方法。
【請求項４】
前記検出器は、複数の視聴者を検出し、前記プロセッサは、前記視聴者の各々に関する視聴角度を計算し、前記判定する段階は、前記プロセッサが、前記視聴角度の各々が前記所定の垂直視野角範囲内であるか否かを判定する段階を含む、請求項１に記載の方法。
【請求項５】
前記プロセッサが、前記ディスプレイが２Ｄコンテンツのディスプレイに関する動作モードであるか否かを判定し、その動作モードの場合には、電力をより少なく消費する前記トールモード及びショートモードのうちの１つを選択する段階をさらに含む、請求項１に記載の方法。
【請求項６】
前記検出器は、対象物の位置を検出し、前記プロセッサは、前記対象物の位置から前記視聴者の垂直位置を推定する、請求項１に記載の方法。
【請求項７】
前記検出器は、リモートコントローラの位置を検出し、視聴者の位置は、該リモートコントローラの位置よりも高い特定の高さであると推定される、請求項６に記載の方法。
【請求項８】
前記検出器は、３Ｄ視聴用眼鏡の位置を検出することによって前記視聴者の位置を検出する、請求項１に記載の方法。
【請求項９】
少なくともトールモード及びショートモードで動作可能なサブピクセル化された画素を有するディスプレイパネルにおいて画素の高さを調整する方法であって、該方法は、
前記ディスプレイパネルに接続された検出器において、前記ディスプレイを視聴する視聴者の位置を検出する段階と、
プロセッサにおいて、視聴者に関する垂直視聴角度を計算する段階と、
前記プロセッサにおいて、前記計算された垂直視聴角度が所定の垂直視野角範囲内であるか否かを判定する段階と、
特定の方向に前記ディスプレイパネルを傾斜させることによりディスプレイの角度を調整することによって電力消費量を低減できることを通知するメッセージをディスプレイパネルに表示する段階と、
を含む方法。
【請求項１０】
前記プロセッサが、前記判定する段階の結果として、前記ディスプレイパネルの動作に関してトールモード又はショートモードを選択する段階をさらに含む、請求項９に記載の方法。
【請求項１１】
前記垂直視聴角度が前記所定の垂直視野角範囲内である場合には、前記ディスプレイは、前記トールモードで動作し、前記垂直視聴角度が前記所定の垂直視野角範囲内である場合には、前記ディスプレイは、前記ショートモードで動作する、請求項１０に記載の方法。
【請求項１２】
前記プロセッサが、前記ディスプレイが２Ｄコンテンツのディスプレイに関する動作モードであるか否かを判定し、その動作モードの場合には、電力をより少なく消費する前記トールモード及びショートモードのうちの１つを選択する段階をさらに含む、請求項１０に記載の方法。
【請求項１３】
前記検出器は、視聴者を検出するように構成されたビデオカメラを含み、前記プロセッサは、前記ディスプレイパネルに対する前記視聴者の垂直位置を求める、請求項９に記載の方法。
【請求項１４】
前記検出器は、複数の視聴者を検出し、前記プロセッサは、前記視聴者の各々に関する視聴角度を計算し、前記判定する段階は、前記プロセッサが、前記視聴角度の各々が前記所定の垂直視野角範囲内であるか否かを判定する段階を含む、請求項９に記載の方法。
【請求項１５】
前記検出器は、対象物の位置を検出し、前記プロセッサは、前記対象物の位置から前記視聴者の垂直位置を推定する、請求項９に記載の方法。
【請求項１６】
前記検出器は、リモートコントローラの位置を検出し、視聴者の位置は、該リモートコントローラの位置よりも高い特定の高さであると推定される、請求項９に記載の方法。
【請求項１７】
前記検出器は、３Ｄ視聴用眼鏡の位置を検出することによって前記視聴者の位置を検出する、請求項９に記載の方法。
【請求項１８】
少なくともトールモード及びショートモードで動作して画素の高さを調整できサブピクセル化された画素を有するディスプレイパネルと、
前記ディスプレイパネルに接続され、前記ディスプレイを視聴する視聴者の位置を検出する検出器と、
１つ又はそれ以上のプログラムされたプロセッサと、
を備えるテレビディスプレイデバイスであって、
前記プロセッサは、
視聴者に関する垂直視聴角度を計算する段階と、
前記計算された垂直視聴角度が所定の垂直視野角範囲内であるか否かを判定する段階と、
前記計算された垂直視聴角度が前記所定の垂直視野角範囲内であるか否かを判定した結果として、前記ディスプレイパネルの動作に関してトールモード又はショートモードを選択する段階と、
を実行するように構成されることを特徴とするテレビディスプレイデバイス。
【請求項１９】
前記垂直視聴角度が前記所定の垂直視野角範囲内である場合には、前記プロセッサは、前記ディスプレイを前記トールモードで動作させることを選択し、前記垂直視聴角度が前記所定の垂直視野角範囲内である場合には、前記プロセッサは、前記ディスプレイを前記ショートモードで動作させることを選択する、請求項１８に記載のテレビディスプレイデバイス。
【請求項２０】
前記検出器は、視聴者を検出するように構成されたビデオカメラを含み、前記プロセッサは、前記ディスプレイパネルに対する前記視聴者の垂直位置を求める、請求項１８に記載のテレビディスプレイデバイス。
【請求項２１】
前記検出器は、複数の視聴者を検出し、前記プロセッサは、前記視聴者の各々に関する視聴角度を計算し、前記判定する段階は、前記プロセッサが、前記視聴角度の各々が前記所定の垂直視野角範囲内であるか否かを判定する段階を含む、請求項１８に記載のテレビディスプレイデバイス。
【請求項２２】
前記プロセッサはさらに、前記ディスプレイが２Ｄコンテンツのディスプレイに関する動作モードであるか否かを判定し、その動作モードの場合には、電力をより少なく消費する前記トールモード及びショートモードのうちの１つを選択する、請求項１８に記載のテレビディスプレイデバイス。
【請求項２３】
前記検出器は、対象物の位置を検出し、前記プロセッサは、前記対象物の位置から前記視聴者の垂直位置を推定する、請求項１８に記載のテレビディスプレイデバイス。
【請求項２４】
前記検出器は、リモートコントローラの位置を検出し、視聴者の位置は、該リモートコントローラの位置よりも高い特定の高さであると推定される、請求項２３に記載のテレビディスプレイデバイス。
【請求項２５】
前記検出器は、３Ｄ視聴用眼鏡の位置を検出することによって前記視聴者の位置を検出する、請求項１８に記載のテレビディスプレイデバイス。
【請求項２６】
前記ディスプレイパネルは、マイクロポラライズディスプレイパネルを含む、請求項１８に記載のテレビディスプレイデバイス。
【請求項２７】
少なくともトールモード及びショートモードで動作して画素の高さを調整できサブピクセル化された画素を有するディスプレイパネルと、
前記ディスプレイパネルに接続され、前記ディスプレイを視聴する視聴者の位置を検出する検出器と、
１つ又はそれ以上のプログラムされたプロセッサと、
を備えるテレビディスプレイデバイスであって、
前記プロセッサは、
視聴者に関する垂直視聴角度を計算する段階と、
前記計算された垂直視聴角度が所定の垂直視野角範囲内であるか否かを判定する段階と、
特定の方向に前記ディスプレイパネルを傾斜させることによりディスプレイの角度を調整することによって電力消費量を低減できることを通知するメッセージをディスプレイパネルに表示する段階と、
を実行するように構成されることを特徴とするテレビディスプレイデバイス。
【請求項２８】
前記プロセッサは、前記判定する段階の結果として、前記ディスプレイパネルの動作に関してトールモード又はショートモードを選択する、請求項２７に記載のテレビディスプレイデバイス。
【請求項２９】
前記垂直視聴角度が前記所定の垂直視野角範囲内である場合には、前記プロセッサは、前記ディスプレイを前記トールモードで動作させることを選択し、前記垂直視聴角度が前記所定の垂直視野角範囲内である場合には、前記プロセッサは、前記ディスプレイを前記ショートモードで動作させることを選択する、請求項２８に記載のテレビディスプレイデバイス。
【請求項３０】
前記プロセッサが、前記ディスプレイが２Ｄコンテンツのディスプレイに関する動作モードであるか否かを判定し、その動作モードの場合には、電力をより少なく消費する前記トールモード及びショートモードのうちの１つを選択する段階をさらに含む、請求項２８に記載のテレビディスプレイデバイス。
【請求項３１】
前記検出器は、視聴者を検出するように構成されたビデオカメラを含み、前記プロセッサは、前記ディスプレイパネルに対する前記視聴者の垂直位置を求める、請求項２７に記載のテレビディスプレイデバイス。
【請求項３２】
前記検出器は、複数の視聴者を検出し、前記プロセッサは、前記視聴者の各々に関する視聴角度を計算し、前記判定する段階は、前記プロセッサが、前記視聴角度の各々が前記所定の垂直視野角範囲内であるか否かを判定する段階を含む、請求項２７に記載のテレビディスプレイデバイス。
【請求項３３】
前記検出器は、対象物の位置を検出し、前記プロセッサは、前記対象物の位置から前記視聴者の垂直位置を推定する、請求項２７に記載のテレビディスプレイデバイス。
【請求項３４】
前記検出器は、リモートコントローラの位置を検出し、視聴者の位置は、該リモートコントローラの位置よりも高い特定の高さであると推定される、請求項２７に記載のテレビディスプレイデバイス。
【請求項３５】
前記検出器は、３Ｄ視聴用眼鏡の位置を検出することによって前記視聴者の位置を検出する、請求項２７に記載のテレビディスプレイデバイス。
【請求項３６】
前記ディスプレイパネルは、マイクロポラライズディスプレイパネルを含む、請求項２７に記載のテレビディスプレイデバイス。
【請求項３７】
ディスプレイパネルに接続された検出器において、該ディスプレイを視聴する視聴者の位置を検出する段階と、
プロセッサにおいて、前記視聴者に関する垂直視聴角度を計算する段階と、
前記プロセッサにおいて、前記計算された垂直視聴角度を、最適な視聴角度又は所定の垂直視野角範囲と比較する段階と、
ユーザが前記ディスプレイパネルを傾斜させることを提案するメッセージをディスプレイに表示する段階と、
を含む方法。
【請求項３８】
前記メッセージは、特定の方向に前記ディスプレイパネルを傾斜させることによるディスプレイの角度調整を提案する、請求項３７に記載の方法。
【請求項３９】
前記プロセッサが、前記ディスプレイが２Ｄコンテンツのディスプレイに関する動作モードであるか否かを判定し、その動作モードの場合には、電力をより少なく消費する前記トールモード及びショートモードのうちの１つを選択する段階をさらに含む、請求項３７に記載の方法。
【請求項４０】
前記検出器は、視聴者を検出するように構成されたビデオカメラを含み、前記プロセッサは、前記ディスプレイパネルに対する前記視聴者の垂直位置を求める、請求項３７に記載の方法。
【請求項４１】
前記検出器は、複数の視聴者を検出し、前記プロセッサは、前記視聴者の各々に関する視聴角度を計算する、請求項３７に記載の方法。
【請求項４２】
前記検出器は、対象物の位置を検出し、前記プロセッサは、前記対象物の位置から前記視聴者の垂直位置を推定する、請求項３７に記載の方法。
【請求項４３】
前記対象物は、リモートコントローラを含み、視聴者の位置は、該リモートコントローラの位置よりも高い特定の高さであると推定される、請求項４２に記載の方法。
【請求項４４】
前記検出器は、３Ｄ視聴用眼鏡の位置を検出することによって前記視聴者の位置を検出する、請求項４２に記載の方法。
【請求項４５】
ディスプレイパネルと、
前記ディスプレイパネルに接続され、前記ディスプレイを視聴する視聴者の位置を検出する検出器と、
１つ又はそれ以上のプログラムされたプロセッサと、
を備えるテレビディスプレイデバイスであって、
前記プロセッサは、
視聴者に関する垂直視聴角度を計算する段階と、
前記計算された垂直視聴角度を、最適な視聴角度又は所定の垂直視野角範囲と比較する段階と、
ユーザが前記ディスプレイパネルを傾斜させることを提案するメッセージをディスプレイに表示する段階と、
を実行するように構成されることを特徴とするテレビディスプレイデバイス。
【請求項４６】
前記メッセージは、特定の方向に前記ディスプレイパネルを傾斜させることによるディスプレイの角度調整を提案する、請求項４５に記載のテレビディスプレイデバイス。
【請求項４７】
前記プロセッサが、前記ディスプレイが２Ｄコンテンツのディスプレイに関する動作モードであるか否かを判定し、その動作モードの場合には、電力をより少なく消費する前記トールモード及びショートモードのうちの１つを選択する段階をさらに含む、請求項４５に記載のテレビディスプレイデバイス。
【請求項４８】
前記検出器は、視聴者を検出するように構成されたビデオカメラを含み、前記プロセッサは、前記ディスプレイパネルに対する前記視聴者の垂直位置を求める、請求項４５に記載のテレビディスプレイデバイス。
【請求項４９】
前記検出器は、複数の視聴者を検出し、前記プロセッサは、前記視聴者の各々に関する視聴角度を計算する、請求項４５に記載のテレビディスプレイデバイス。
【請求項５０】
前記検出器は、対象物の位置を検出し、前記プロセッサは、前記対象物の位置から前記視聴者の垂直位置を推定する、請求項４５に記載のテレビディスプレイデバイス。
【請求項５１】
前記対象物は、リモートコントローラを含み、視聴者の位置は、該リモートコントローラの位置よりも高い特定の高さであると推定される、請求項５０に記載のテレビディスプレイデバイス。
【請求項５２】
前記検出器は、３Ｄ視聴用眼鏡の位置を検出することによって前記視聴者の位置を検出する、請求項５０に記載のテレビディスプレイデバイス。
【請求項５３】
少なくともトールモード及びショートモードで動作して画素の高さを調整できサブピクセル化された画素を有するマイクロポラライズディスプレイパネルと、
前記ディスプレイパネルに接続され、前記ディスプレイを視聴する１又はそれ以上の視聴者の位置を検出するビデオカメラと、
１つ又はそれ以上のプログラムされたプロセッサと、
を備えるテレビディスプレイデバイスであって、
前記プロセッサは、
１又はそれ以上の視聴者の各々に関する垂直視聴角度を計算する段階と、
前記１又はそれ以上の視聴者の各々に関して計算された垂直視聴角度が所定の垂直視野角範囲内であるか否かを判定する段階と、
特定の方向に前記ディスプレイパネルを傾斜させることによりディスプレイの角度を調整することによって電力消費量を低減できることを通知するメッセージをディスプレイパネルに表示する段階と、
前記判定する段階の結果として、前記ディスプレイパネルの動作に関してトールモード又はショートモードを選択し、前記垂直視聴角度が前記所定の垂直視野角範囲内である場合には、前記プロセッサが、前記ディスプレイを前記トールモードで動作させることを選択する段階と、
前記垂直視聴角度が前記所定の垂直視野角範囲内である場合には、前記プロセッサが、前記ディスプレイを前記ショートモードで動作させることを選択する段階と、
を実行するように構成されることを特徴とするテレビディスプレイデバイス。
【請求項５４】
少なくともトールモード及びショートモードで動作可能なサブピクセル化された画素を有するディスプレイパネルにおいて画素の高さを調整する方法であって、該方法は、
プロセッサにおいて、視聴者が低電力動作モードと高電力動作モードとの間で選択することを引き起こす表示をもたらす段階と、
前記視聴者が前記高電力動作モードを選択した場合に、前記ディスプレイパネルの動作に関してショートモードを選択する段階と、
前記視聴者が前記低電力動作モードを選択した場合に、プロセッサにおいて、前記視聴者に関する垂直視聴角度を計算し、前記計算された垂直視聴角度が所定の垂直視野角範囲内であるか否かを判定する段階と、
前記プロセッサが、前記判定する段階の結果として前記ディスプレイパネル動作のトールモードを選択する段階と、
を含む方法。
【請求項５５】
前記垂直視聴角度が前記所定の垂直視野角範囲内である場合には、前記ディスプレイは、前記トールモードで動作し、前記垂直視聴角度が前記所定の垂直視野角範囲内である場合には、前記ディスプレイは、前記ショートモードで動作する、請求項５４に記載の方法。
【請求項５６】
前記検出器は、視聴者を検出するように構成されたビデオカメラを含み、前記プロセッサは、前記ディスプレイパネルに対する前記視聴者の垂直位置を求める、請求項５４に記載の方法。
【請求項５７】
前記検出器は、複数の視聴者を検出し、前記プロセッサは、前記視聴者の各々に関する視聴角度を計算し、前記判定する段階は、前記プロセッサが、前記視聴角度の各々が前記所定の垂直視野角範囲内であるか否かを判定する段階を含む、請求項５４に記載の方法。
【請求項５８】
前記検出器は、対象物の位置を検出し、前記プロセッサは、前記対象物の位置から前記視聴者の垂直位置を推定する、請求項５４に記載の方法。
【発明の詳細な説明】
【背景技術】
【０００１】
（著作権及び商標表示）
本特許文書の開示部分は、著作権保護の対象内容を含む。著作権の権利所有者は、合衆国特許商標庁の特許ファイル又は記録内に表されるとおりに特許文書又は特許開示を複製することには異議を唱えないが、それ以外は全ての著作権を留保する。商標は、これらのそれぞれの所有者の所有物である。
【０００２】
マイクロポラライズディスプレイパネルなどの特定の３Ｄディスプレイパネルでは、垂直視野角を拡大するための技術が存在する。垂直視野角は、主として、左眼用画像と右眼用画像との間のクロストークによって制限される場合がある。これは、サブピクセルで構成され選択的に制御できる画素を備えるディスプレイを有することによって実現される。
【０００３】
各画素の垂直方向の高さは、適応性がある。例えば、ディスプレイが３次元コンテンツを再生するために使用される場合のように広い視野角が用いられる場合には、各画素の垂直方向の高さは低減される。これは、サブピクセルの一部分をターンオンしないことによって実現される。これによって、左眼用画像と右眼用画像との間のクロストークの可能性が減少する。しかしながら、このことにより、バックライトをより明るく作動させＬＣＤディスプレイにおいてより低い口径比を補償して類似の輝度を実現することが必要となる。このことは、より広い視野角と電力消費量との間のトレードオフをもたらす。
【０００４】
動作の機構及び方法を示す幾つかの例示的な実施形態、並びに目的、及び利点は、次に添付図面と併せて理解される詳細な説明を参照することによって、十分に理解することができる。
【先行技術文献】
【非特許文献】
【０００５】
【非特許文献１】「Ｕｎｄｅｒｓｔａｎｄｉｎｇ  Ｃｒｏｓｓｔａｌｋ  ｉｎ  Ｓｔｅｒｅｏｓｃｏｐｉｃ  Ｄｉｓｐｌａｙｓ」、Ｗｏｏｄｓ、Ａ．Ｊ．、３次元システム及びアプリケーションカンファレンス（２０１０）での基調プレゼンテーション、東京、日本、２０１０年５月
【図面の簡単な説明】
【０００６】
【図１】本発明の特定の実施形態に適合するマイクロポラライズサブピクセル化ディスプレイパネルの実施例である。
【図２】本発明の特定の実施形態に適合する動作処理のフローチャートの実施例である。
【図３】本発明の特定の実施形態に適合する実施形態の別の動作処理の実施例である。
【図４】本発明の特定の実施形態に適合する眼球検出処理の実施例である。
【図５】本発明の特定の実施形態に適合する方法でディスプレイパネルの傾斜角度を調整するために使用される眼球検出処理の実施例である。
【図６】本発明の特定の実施形態に適合する３Ｄ眼鏡検出処理の実施例である。
【図７】本発明の特定の実施形態に適合する方法でディスプレイパネルの傾斜角度を調整するために使用される３Ｄ眼鏡検出処理の実施例である。
【図８】本発明の特定の実施形態に適合し眼球の位置を間接的に測定及び推測する処理の実施例である。
【図９】本発明の特定の実施形態に適合する方法でディスプレイパネルの修正傾斜角度を推測するために使用される間接的な測定の実施例である。
【図１０】本発明に適合する特定の実施形態に適合するテレビ受信機の実施例である。
【発明を実施するための形態】
【０００７】
本発明は、多くの異なる形の実施形態が可能であるが、このような実施形態についての本開示は原理の一例とみなすべきであり、図示及び説明する特定の実施形態に本発明を限定することを意図するものではないという理解の下、詳細で具体的な実施形態を、図面に示し本明細書で説明する。以下の説明では、図面の複数の図における同様の、類似の、又は一致する部分については同じ参照番号を使用して説明する。
【０００８】
本明細書で使用する「１つの（英文不定冠詞）」という用語は、１又は１よりも多くの、と定義される。本明細書で使用する「複数の」という用語は、２又は２よりも多くの、と定義される。本明細書で使用する「含む（ｉｎｃｌｕｄｉｎｇ）」及び／又は「有する（ｈａｖｉｎｇ）」という用語は、「備える（ｃｏｍｐｒｉｓｉｎｇ）」（すなわち包括的な用語）と定義される。本明細書で使用する「連結される」という用語は、「接続される」と定義されるが、必ずしも直接的な、また必ずしも機械的な接続ではない。本明細書で使用する「プログラム」又は「コンピュータプログラム」という用語又は類似の用語は、コンピュータシステム上での実行を意図された一連の命令であると定義される。「プログラム」又は「コンピュータプログラム」は、実行可能アプリケーション、アプレット、サーブレット、ソースコード、オブジェクトコード、スクリプト、プログラムモジュール、共有ライブラリ／ダイナミックロードライブラリ、及び／又はコンピュータシステム上で実行するように設計されたその他の一連の命令におけるサブルーチン、関数、手順、オブジェクト方法、オブジェクト実装を含むことができる。
【０００９】
本明細書で使用する「プログラム」という用語はさらに、第２の文脈（上記の定義を第１の文脈とする）で使用することができる。第２の文脈では、この用語は、「テレビ番組」という意味で使用される。この文脈では、この用語は、単一のテレビ番組として解釈されるような、及び電子番組ガイド（ＥＰＧ）内に単一のテレビ番組として記録されるようなあらゆる一貫した一連のオーディオビデオコンテンツを意味するために使用され、このコンテンツが、映画、スポーツイベント、連続番組の一部、ニュース放送などのいずれであるかは関係ない。この説明では、「プログラム」という用語を用いることは、概して、ＭＰＥＧ−２システム規格（ＩＳＯ／ＩＥＣ  １３８１８−１）のものに適合している。ＭＰＥＧ−２プログラムは、例えば１つのビデオエレメンタリストリーム及び１つ又はそれ以上のオーディオエレメンタリストリームなどの関連するエレメンタリストリーム構成要素を有する。この用語はさらに、電子番組ガイド内の番組として記録できないコマーシャルスポット及び他の番組のようなコンテンツを包含すると解釈することができる。
【００１０】
本明細書を通じて、「１つの実施形態」、「いくつかの実施形態」、「ある実施形態」、又は同様の用語への言及は、実施形態に関連して説明する特定の特徴、構造、又は特性が、本発明の少なくとも１つの実施形態に含まれることを意味する。従って、本明細書を通じて至るところに出現するこのような語句は、必ずしも全てが同じ実施形態について言及するものではない。さらに、１つ又はそれ以上の実施形態において、これらの特定の特徴、構造、又は特性をあらゆる好適な態様で制限なく組み合わせることができる。
【００１１】
本明細書で使用する「又は」という用語は包括的なものとして解釈すべきであり、すなわちいずれか１つ又はあらゆる組み合わせを意味する。従って、「Ａ、Ｂ、又はＣ」は、「Ａ、Ｂ、Ｃ、Ａ及びＢ、Ａ及びＣ、Ｂ及びＣ、Ａ及びＢ及びＣ、のいずれか」を意味する。この定義に対する例外は、要素、機能、ステップ、又は動作の組み合わせが何らかの点で本質的に互いに相容れない場合にのみ生じる。
【００１２】
立体３Ｄテレビは、視聴者の各々の眼球がその眼球を対象とした画像のみを見るようにする方法と組み合わせて、左眼用及び右眼用の別個の表示をディスプレイ画面に配信することを含む。所与のオブジェクトに関して、そのオブジェクトの配置の水平位置において左眼及び右眼の視野が異なる場合に、このオブジェクトに関して深度の錯覚が得られる。
【００１３】
映画及び同様のもののようなコンテンツの３次元立体（３Ｄ）ディスプレイに関して使用されるビデオディスプレイでは、右眼用画像から左眼用画像の分離を生じさせて、３次元画像を模擬する立体的な視覚効果を生じるために使用される技術が幾つか存在する。全てのコンテンツが、３Ｄでのディスプレイに利用可能である又は依然としてそれが望ましいとは限らないので、一般に使用される技術はさらに、従来の２次元立体（２Ｄ）画像のディスプレイに関して用いられる。
【００１４】
３Ｄコンテンツのディスプレイに使用されるＬＣＤディスプレイパネルの１つの種類では、マイクロポラライゼーションレイヤが利用される。現在のところ、この種類のディスプレイは、一般的に、一行おきに偏光を交互に入れ替えて偏光されるように構成された交互の画素行を通過するレイヤを利用する。例えば、偶数行は、左円偏光で偏光し、奇数行は、右円偏光で偏光する（又は、逆もまた同様）。従って、奇数行は、左眼用画像の表示での使用に割り当てらてることができ、偶数行は、右眼用画像の表示での使用に割り当てることができる。これは、適切な偏光眼鏡の使用による立体画像分離をもたらす。
【００１５】
このようなディスプレイでは、左眼用画像と右眼用画像とが明確に分離した状態に保たれることが非常に望ましい。明確に分離しない場合には、左眼用画像と右眼用画像との間のクロストークは、ゴースト発生、コントラストの損失、３Ｄ効果及び深度解像度の損失、並びに視聴者の不快感を引き起こす可能性があり、このことは、例えば、「Ｕｎｄｅｒｓｔａｎｄｉｎｇ  Ｃｒｏｓｓｔａｌｋ  ｉｎ  Ｓｔｅｒｅｏｓｃｏｐｉｃ  Ｄｉｓｐｌａｙｓ」、Ｗｏｏｄｓ、Ａ．Ｊ．、３次元システム及びアプリケーションカンファレンス（２０１０）での基調プレゼンテーション、東京、日本、２０１０年５月で説明され、これは、本明細書に引用により組み込まれている。このクロストークは、視聴角度が広くなるとともに増え、視聴者が知覚するようなクロストークは、視聴する具体的なコンテンツに依存して異なるものである可能性がある。従って、さらに、画素行の間で間隔が設けられるのが一般的であり、この間隔はさらに、光通路を遮るための視覚的なバリアとして作用し、左眼用画像と右眼用画像との間の最小限のクロストークを保証するように考案されている。
【００１６】
交互の画素行の分離をもたらすように、各画素を２つ又はそれより多くのサブピクセルの垂直方向の配列で構成することが一般的である。この種類のディスプレイでは、一般的に、下側サブピクセルは、３Ｄコンテンツの表示中にターンオフされる。これにより、左眼用画像及び右眼用画像のさらなる分離がもたらされる。
【００１７】
しかしながら、サブピクセルの利用のこの操作は、ＬＣＤディスプレイでは輝度が、画素サイズ（下側サブピクセルをターンオフすることによって減少する）、及びバックライトの輝度の両方によって決定されるので、電力及び輝度を消費して行われる。従って、３Ｄコンテンツが表示され、１つ又はそれ以上のサブピクセルが、広い垂直視野角に関してターンオフされる場合には、より小さい画素サイズを補償するためにバックライトの輝度が高くなることによって、３Ｄコンテンツの表示中の電力消費量は、２Ｄコンテンツの表示中に消費される電力消費量を上回って非常に増加する（全てのサブピクセルがオン状態でバックライトを低減できる場合）。通常モードと高さを低減した画素モードとの間の電力の差分は、４０％とすることができる。
【００１８】
この文書の目的において、本明細書では、小さい及び低いサブピクセルを含む画素毎の２つのサブピクセルを示し、このサブピクセルは、動作モードに応じてオン状態又はオフ状態に選択的に制御されることに留意されたい。しかしながら、本発明に適合する実施形態の様々な実施例の目的において、本明細書は、サブピクセルの２つの動作モード、すなわち「トールモード」及び「ショートモード」に言及し、それらを規定するが、トールモードは、ショートモードよりもアクティブなサブピクセルが多いモードとして定義され、トールモード及びショートモードは、互いと比較したモードであり、トールモードは、アクティブなサブピクセルがショートモードよりも１つ又はそれより多い。すなわち、ショートモードでは、トールモードのサブピクセル数と比較して、少なくとも１つより多いサブピクセルがターンオフされる。このことは、一般的に、ＬＣＤディスプレイにおいて所与の画素から同じ光出力を実現するために、ショートモードではトールモードよりも大量のバックライトが必要とされることを意味する。ＬＣＤディスプレイ以外の他の種類のディスプレイでは、トールモード及びショートモードは、電力消費量に関してＬＣＤに関する特性とは対照的な特性を有することができ、この場合には、トールモード又はショートモードの選択をそれに応じて調整して、画質を実質的に落とすことなく、電力消費量低減についての所望の結果が実現されることに留意されたい。さらに、本明細書では２つのサブピクセルのディスプレイを説明するが、２つより多いサブピクセルを備え、本技術をスケール変更して様々な程度で他のモードよりも高いモード又は低いモードとして説明できるモードを包含するディスプレイに適用可能であることに留意されたい。
【００１９】
広い視聴角度は、３Ｄコンテンツを表示及び視聴する際に、必ずしも必要とは限らない場合が多いことに留意されたい。実際に、実際の視聴角度は、非常に狭いことが一般的である。例えば、３Ｄコンテンツを視聴するカウチ又はチェアに着座した家族を考慮する。各視聴者の眼球の高さの間の実際の垂直方向の差分は、数インチを超えない非常に狭い視聴角度である可能性が高く、結果的に、非常に狭い視聴角度で全ての視聴者の垂直方向高さが取り込まれる。従って、視聴角度が狭い場合には、実際にサブピクセルをターンオフする必要、及びバックライトを実際にターンアップし、それに起因する追加の電力消費量を引き起こす必要がない場合がある。この方法での問題は、典型的な消費者が、視聴角度の調整により電力消費量を低減できるという認識がないことである。さらに、ディスプレイシステムが広い垂直視聴角度が不必要であることを検知した場合には、ディスプレイシステムが介入できる機会が存在する。
【００２０】
視聴環境に応じて、３Ｄディスプレイは、広い垂直視聴角度を必要とすること又はそれを必要としないことができる。ディスプレイが視聴者の位置を認知している場合には、電力消費量と視聴角度との間のトレードオフが制御される。
【００２１】
これは、例えば、カメラ、検出器、又は視覚システムを使用して視聴者の位置を検出することによって実現することができる。例えば、顔検出、反射面を正確に位置付けること、又は３Ｄ眼鏡に設けられているインディシアムによって、視聴者の位置を求めることができる。視聴者が狭い視聴角度内にいる場合には、画素の垂直方向の高さを低減する必要はないので、バックライトはより明るく動作する必要はない。その結果、電力が節約される。さらに、ＴＶは、ディスプレイパネルを傾斜させて電力を節約するためのユーザインタフェース（ＵＩ）を介したユーザへのフィードバックを提供するように構成することができる。これは、多くのディスプレイパネルが壁掛け式であり、多くの壁取り付けブラケットが傾斜調整を提供するので、容易に実現される場合が多い。従って、ディスプレイを手動で傾斜させることにより電力が節約され、ショート画素高さモードとトール画素高さモードとの間での電力消費量の差分は、４０％とすることができる。
【００２２】
従って、幾つかの実施形態では、本発明は、テレビが、視聴者の位置を監視することによってテレビの電力消費量を低減できるように構成されたシステムを提供する。テレビは次に、ディスプレイ内のサブピクセルをターンオフする必要がないように視聴角度を変更することができる。これにより、テレビでの電力消費量が４０％だけ低減される。
【００２３】
本開示は、一例としてマイクロポラライズＬＣＤディスプレイパネルを使用するが、ＬＥＤディスプレイパネル及びレンチキュラーディスプレイを含み、サブピクセルを使用して垂直視野角を制御する、任意のディスプレイパネルは、本技術を利用することができる。
【００２４】
ここで図１を考慮すると、例示的なマイクロポラライズ３Ｄ  ＬＣＤディスプレイパネル１０が、垂直断面図及び概略図で示される。このようなディスプレイでは、画素の配列は、水平の画素行で構成され、各画素は、複数のサブピクセルで構成される。この例では、画素１００及び１０４を含む２つの画素行が示される。画素１００及び１０４は、上側サブピクセル１０８及び下側サブピクセル１１２を有する。このディスプレイの偏光は、反対方向に偏光される（例えば、左円偏光及び右円偏光）偏光セグメント１２０及び１２４を有するマイクロポラライザ１１６を使用することによって実現される。１つの実施例では、各画素行は、別々に偏光され、交互の行は、偏光眼鏡を通して視認され、右眼用画像及び右眼用画像が分離される。
【００２５】
３Ｄモードで動作する場合に十分な分離を実現するために、マイクロポラライザ（又は他の構造）は、画像が分離した状態に保たれるように光バリア１２８を提供することができる。バックライト１３２は、ＬＣＤ画素を通過しその後マイクロポラライザ１１６を通じて視聴者に出力される光源を提供する。前述したように、３Ｄモードでディスプレイパネル１０を使用してより広い垂直視野角を実現する場合には、サブピクセル（より低い及びより小さいサブピクセル１１２）の一部分をターンオフすることが一般的である。これが行われる場合には、バックライト１３２の輝度及び電力消費量が、実質的に増加し、マイクロポラライザ１１６及び偏光眼鏡１３６を通してディスプレイパネルを視認する視聴者には、適切な輝度が提供される。２Ｄモードでは、サブピクセルは全てターンオンされ、バックライトは、隣接画素の分離が、従来の２Ｄ表示ではそれほど重要ではなく、垂直視野角に有意に否定的な影響を与えるものではないので、低減することができる。
【００２６】
図１のディスプレイパネルを制御するための１つの処理は、処理２００が２０４で開始する図２に示される。ディスプレイが、２０８において２Ｄコンテンツを表示するように動作する場合には、隣接画素の分離がそれほど重要ではないので、トールモードが２１２において実行され、コンテンツが２１６において正常に表示される。処理は次に、将来の決定を行うために、２２０において最初に戻る。
【００２７】
ディスプレイが、本実施形態に従って３Ｄモードで動作し立体コンテンツを表示する場合には、制御は２０８から２２２に移り、システムは、ユーザがより狭い視野角を選択して電力消費量を低減する処理のオプトアウトを行えることを示す「オプトアウト」メッセージを表示する。次に、ユーザは、２２４においてこの省電力処理を始めることを選択すること、すなわち処理のオプトアウトを行うこと、及びより多い電力消費量を選択してビデオディスプレイを改良することができる。ユーザが省電力選択肢を始めることを選択した場合には、処理は、２２６に進み、視聴者の垂直位置が検出される。さらに、視聴者との距離を求めて、後で視聴者の垂直視聴角度を確認することができる。これは、説明される顔検出、赤外線検出、又は他の技術を含むカメラを使用して行うことができる。技術とは無関係に、視聴者の位置が求められると、２２８において、各視聴者、又は最も背が高い及び最も背が低い視聴者の垂直視聴角度を計算することができる。幾つかの実施形態では、垂直視聴角度は、実際の距離情報及び垂直方向の高さ情報を必要とすることなく直接確認することができ、このような実施形態が予期される。視聴角度の範囲は、ショートモードで構成されたサブピクセルで動作することなく３Ｄ性能が受け入れ可能な範囲である所定の垂直視野角範囲と比較することができる。この比較が２３２で行われ、視聴者がこの範囲内である場合には、制御は２１２に移り、ショートモードが選択された場合よりも低いバックライト強度を可能にするトールモードが、画素に関して選択され、それによって電力が節約される。しかしながら、各視聴者、又は最も背が高い及び最も背が低い視聴者の視聴角度が、この所定の範囲内でない場合には、画素のショートモードが２３６において選択され、コンテンツは、２１６においてディスプレイパネル画素のショートモードを用いて再生される。ユーザが、２２４において処理のオプトアウトを行うことを選択した場合には、制御は２３６に移り、ショート画素モードが選択される。
【００２８】
上記に説明した所定の範囲は、任意の所与のディスプレイパネルに関して様々な垂直視野角でディスプレイに３Ｄ画像を表示することによって実験的に容易に求めることができる。所定の範囲は、画質劣化が顕著又は主観的に不快になるポイントで境界が示される上側視聴角度と下側視聴角度との間の範囲として規定される。この範囲は、概して、画素の配列、バリア、及び具体的なディスプレイパネルに固有のパラメータに依存し、実際にはさらに、表示されるコンテンツのコントラストによるので、規定することができないことに留意されたい。しかしながら、幾つかの市販のディスプレイパネルでは、ショート画素モードが使用される場合、垂直視野角は、上端から下端まで約２６度であることに留意されたい。代わりに、視聴者は、画質が個別的な基準で問題がある場合に最良に決定すること、及びオプトアウトを行うか否かを決定することができることに留意されたい。範囲は、典型的な視聴者が受け入れ可能と認める概して好適な画質を提供するディスプレイ製造業者によって決定することができる。より狭い視野角が視聴者に受け入れられない場合には、視聴者は、明らかなゴースト発生、コントラストの損失、３Ｄ効果及び深度解像度の損失、視聴者の不快感、並びに画質の全体的な視知覚などの存在に基づいて、より狭い視野角を使用することのオプトアウトを行う判断を下すことができる。
【００２９】
ＴＶ製造業者は、好適な視聴距離が、ディスプレイの垂直方向の高さの約３倍であるということを提案している場合が多いことに留意されたい。この基準を用いると、５５インチ１６×９ディスプレイに関して、垂直方向の高さは、約２７インチである。提案される概算の視聴距離は、約８１インチ又は約７フィートである。この視聴距離は、幾つかの実施形態において前提とすることができる。所与の視聴者の高さに関して、本処理の利用は、特定の設置ではディスプレイの高さを制限して、好適な視聴角度又は角度範囲を実現することができる。
【００３０】
図１のディスプレイパネル１０の制御に関する別の処理は、処理３００が３０４で開始する図３に示される。この実施例では、２Ｄコンテンツのディスプレイに関するディスプレイの動作は、省略されるが、処理２００と同様に追加することができ、この場合に、２Ｄコンテンツに関して制御は３１２に移る。
【００３１】
ディスプレイが、本実施形態に従って３Ｄモードで動作し立体コンテンツを表示する場合には、制御は３０８から３２４に移り、視聴者の垂直方向の高さがディスプレイからの距離とともに検出されるか、或いは視聴者の角度位置が直接検出される。これは、説明される顔検出、赤外線検出、又は他の技術を含むカメラを使用して行うことができる。技術とは無関係に、視聴者の位置が求められると、３２８において、各視聴者、又は最も背が高い及び最も背が低い視聴者の垂直視聴角度を計算することができる。視聴角度範囲は、ショートモードで構成されたサブピクセルで動作することなく３Ｄ性能が受け入れ可能な範囲である所定の垂直視野角範囲と比較することができる。この比較が３３２で行われ、視聴者がこの範囲内である場合には、制御は３１２に移り、ショートモードが選択された場合よりも低いバックライト強度を可能にするトールモードが、画素に関して選択され、それによって、電力が節約される。３１６において、コンテンツを正常に表示することができる。処理は次に、将来の決定を行うために、３２０において最初に戻る。
【００３２】
しかしながら、この実施形態では、各視聴者、又は最も背が高い及び最も背が低い視聴者の視聴角度が、この所定の範囲内ではないが、所定の範囲に収まることになる場合には、ディスプレイデバイスは、ディスプレイの傾斜を調整することによって、電力を節約すること又は画質を改善することができることを提示するメッセージでユーザに通知することができる。画質は、一部の角度では最適に近く、視聴者の眼球がこの角度を上回って又は下回って向けられるとともに段階的に劣化するので、角度の範囲は絶対的なものではないことに留意されたい。従って、画質はさらに、角度を調整して視聴者の眼球を最適な視聴角度により近づけることによって改良することができる。さらに、幾つかの実施形態では、概算の傾斜角度及び傾斜方向を３３６において表示することができる。この実施形態では、ユーザは、次に、３４０において、電力消費量を低減する試みでディスプレイの傾斜を調整する機会を受け入れること又はそれを拒否することのいずれかを選択する。ユーザが拒否する場合には、３４４において、画素のショートモードが選択され、コンテンツは、３１６において、ディスプレイパネルの画素のショートモードを使用して再生される。しかしながら、ユーザが、３４０においてディスプレイの傾斜を調整する機会を受け入れた場合には、制御は、３２４に戻り、検出処理を繰り返して全てのユーザが好ましい視聴角度内であることを保証することができる。表示される画像が２Ｄ又は３Ｄであるかどうか、或いは画素がショートモード又はトールモードであるかどうかと無関係に、最適な視聴角度が常に存在することに留意されたい。ユーザがこの最適な視聴角度ではないことを検出することによって、傾斜角度を変更するための提案が、電力消費量又はディスプレイモードに関係なく画質を最適化することに有用であり得る。
【００３３】
ここで図４から５を考慮すると、ディスプレイを傾斜させることがどのようにして視聴角度を修正できるかについての実施例が示されている。この場合、ディスプレイパネル１０は、傾斜角度を調整できる取り付け具５０２を使用して取り付けられ、ディスプレイは、例えば、顔検出アルゴリズムを実行するプログラムされたプロセッサによって視聴者の位置を検出するためのカメラ５０６を含む。この実施例では、顔検出アルゴリズムは、視聴者の眼球の位置を検出することができ、この位置は、説明図では水平線を約θ度下回っているように示されている。所定の画質垂直視野角範囲は、φとして示されている。従って、視聴角度θがφの範囲内であり、可能であれば、この範囲の中心に近いようにディスプレイを傾斜させることが望ましい。これが、実現できる場合には、図５に示すように、垂直面から約θ度だけのディスプレイの移動を伴って視聴者の位置が最適化される。
【００３４】
図４から５に関連して説明した実施形態では、視聴者の眼球の位置は、視聴者の顔を認識することによって求めることができるが、３Ｄモードでは、視聴者は、一般的に、幾つかの種類の３Ｄ眼鏡を装着して、左眼用画像及び右眼用画像の分離を助長することに留意されたい。図６から７は、眼球の位置を求めるために眼鏡を実際に検出することの利用を示している。この場合に、眼鏡１３６は、眼鏡の形状自体、眼鏡１３６に取り付けられたインディシアム、又は使用中の１つ又はそれ以上の組の眼鏡の垂直位置を検出するためのホーミング機構の何らかの変更形態のいずれかを検出することを利用するカメラ５０６によるパターン認識を用いて検出することができる。図６では、垂直方向の眼鏡の位置は、眼球の位置を表し、この場合もやはりθで示され、図７では、この角度θは、この場合もやはり、視聴者の眼球を範囲φに向かわせるためのディスプレイパネルの傾斜角度を表す。
【００３５】
上記の実施例では、視聴者の眼球の位置は、視聴者の顔又は視聴用眼鏡の位置を検出できる何らかの構成の検出器によって、直接推測される。当業者であれば、眼球の位置を直接検出する別の多くの実施形態を考案できるであろう。しかしながら、視聴者の眼球の位置を間接的に推測する可能性を見落としてはならない。一つの例示的な技術を図８から９に示す。この実施例では、システムは、リモートコントローラの垂直位置を参照ポイントとして利用し、そこから視聴者の眼球の位置を推測することができる。例えば、視聴者が、リモートコントローラ６００を、視聴者が着座するカウチの前のコーヒーテーブル上に置く場合には、視聴者の眼球は、例えば、コーヒーテーブルよりも上の約１フィートから２フィートの間である可能性がある。これは、図８から９に示すＨとして視聴者に観測されセットアップパラメータとして手動で入力される範囲とすることができる。或いは、システムは、この範囲又は他の好適な範囲を仮定することができる。幾つかの実施形態では、視聴者は、リモートコントローラを家具の好都合な要素に通常静止して配置する一般的な視聴者に適合する高さをセットすることができる。この高さは、ユーザ入力とすること、又はテレビセットによって使用されるパラメータとしてメニューから選択可能とすることができる。このようなパラメータは、テレビをセットアップするときに、又は好適なメニュー機能によってセットアップすることができる。この高さＨが仮定された場合には、視聴者の眼球の位置は、リモートコントローラ６００の位置を検出し（例えば、パターン認識、インディシアム、三角法で測ることができるリモートコントローラから送信される信号などによる）、高さＨをこの位置に加算して、眼球が位置する可能性がある位置を識別することによって推測することができる。当然ながら、この間接的な測定を正確に動作させるためには、リモートコントローラ６００がディスプレイから水平距離でどこに位置しているかをシステムが測定すること、距離の仮定を行うこと、或いは視聴者がディスプレイパネルに対して水平な距離又は概算の距離を入力することのいずれかが必要である。この情報が得られると、リモートコントローラ６００に対する角度は、図８に示すようにθ＋Δとして与えられ、角度θは、容易に得られ、ディスプレイは、図９に示すように調整することができる。
【００３６】
当然ながら、この間接的な方法は、直接的な方法よりも精度が低い可能性があるが、視聴者の視聴位置が比較的固定している場合の視聴状況、所定の視野角範囲φが十分に広い場合の視聴状況が与えられると、近似値は、少ない電力消費量及び画質を保証するのに非常に適切であり得る。当業者であれば、さらに、本技術に適合する方法で別の間接的な方法を利用できることを理解するであろう。
【００３７】
上記の技術のいずれかは、図１０に示すカメラ又は他の好適な検出器５０６を組み込むテレビ受信機を使用して実行することができる。このようなシステムでは、１つ又はそれ以上のプロセッサ７０４は、メモリ又は他のストレージ７０８に格納されたプログラムモジュールを用いてプログラムされ、メモリ又は他のストレージ７０８は、従来の方法で１つ又はそれ以上のバス７１２を使用してプロセッサに接続される。メモリ７０８は、その他のプログラム及びデータとして、前述のように視聴角度及びその範囲を処理し計算する視聴角度処理モジュール７１６、及び、例えば、顔認識、又はカメラ若しくは検出器５０６によって撮影された画像のパターンマッチングを実行する検出器処理モジュール７２０を組み込むことができる。
【００３８】
メッセージ及びビデオコンテンツは、ディスプレイインタフェース７２４を介してディスプレイパネル１０に提供され、リモートコントローラコマンドが、リモートコントローラインタフェース７２８を介して受信される。ＴＶ受信機は、ブロードキャスト、ケーブル、衛星、インターネット、メディアプレーヤなどを介してディスプレイ用のコンテンツを受信するための様々なインタフェースを含むことができる様々なテレビ受信機回路７３２を含む。
【００３９】
従って、少なくともトールモード及びショートモードで動作可能なサブピクセル化された画素を有するディスプレイパネルにおいて画素の高さを調整する方法は、ディスプレイパネルに接続された検出器において、ディスプレイを視聴する視聴者の位置を検出する段階と、プロセッサにおいて、視聴者に関する垂直視聴角度を計算する段階と、プロセッサにおいて、計算された垂直視聴角度が所定の垂直視野角範囲内であるか否かを判定する段階と、プロセッサが、判定する段階の結果として、ディスプレイパネルの動作に関してトールモード又はショートモードを選択する段階とを含む。
【００４０】
幾つかの実施形態では、垂直視聴角度が所定の垂直視野角範囲内である場合には、ディスプレイは、トールモードで動作し、垂直視聴角度が所定の垂直視野角範囲内である場合には、ディスプレイは、ショートモードで動作する。幾つかの実施形態では、検出器は、視聴者を検出するように構成されたビデオカメラであり、プロセッサは、ディスプレイパネルに対する視聴者の垂直位置を求める。幾つかの実施形態では、検出器は、複数の視聴者を検出し、プロセッサは、各視聴者に関する視聴角度を計算し、判定する段階は、プロセッサが、各視聴角度が所定の垂直視野角範囲内であるか否かを判定する段階を含む。幾つかの実施形態では、プロセッサは、ディスプレイが２Ｄコンテンツのディスプレイに関する動作モードであるか否かを判定し、その動作モードの場合には、電力をより少なく消費するトールモード及びショートモードのうちの１つを選択する。幾つかの実施形態では、検出器は、対象物の位置を検出し、プロセッサは、対象物の位置から視聴者の垂直位置を推定する。幾つかの実施形態では、検出器は、リモートコントローラの位置を検出し、視聴者の位置は、リモートコントローラの位置よりも高い特定の高さであると推定又は推測される。幾つかの実施形態では、検出器は、３Ｄ視聴用眼鏡の位置を検出することによって視聴者の位置を検出する。
【００４１】
少なくともトールモード及びショートモードで動作可能なサブピクセル化された画素を有するディスプレイパネルにおいて画素の高さを調整する別の方法は、ディスプレイパネルに接続された検出器において、ディスプレイを視聴する視聴者の位置を検出する段階と、プロセッサにおいて、視聴者に関する垂直視聴角度を計算する段階と、プロセッサにおいて、計算された垂直視聴角度が所定の垂直視野角範囲内であるか否かを判定する段階と、特定の方向にディスプレイパネルを傾斜させることによりディスプレイの角度を調整することによって電力消費量を低減できることを通知するメッセージをディスプレイパネルに表示する段階とを含む。
【００４２】
幾つかの実施形態では、プロセッサは、判定する段階の結果として、ディスプレイパネルの動作に関してトールモード及びショートモードを選択する。幾つかの実施形態では、垂直視聴角度が所定の垂直視野角範囲内である場合には、ディスプレイは、トールモードで動作し、垂直視聴角度が所定の垂直視野角範囲内である場合には、ディスプレイは、ショートモードで動作する。幾つかの実施形態では、プロセッサは、ディスプレイが２Ｄコンテンツのディスプレイに関する動作モードであるか否かを判定し、その動作モードの場合には、電力をより少なく消費するトールモード及びショートモードのうちの１つを選択する。幾つかの実施形態では、検出器は、視聴者を検出するように構成されたビデオカメラであり、プロセッサは、ディスプレイパネルに対する視聴者の垂直位置を求める。幾つかの実施形態では、検出器は、複数の視聴者を検出し、プロセッサは、各視聴者に関する視聴角度を計算し、判定する段階は、プロセッサが、各視聴角度が所定の垂直視野角範囲内であるか否かを判定する段階を含む。幾つかの実施形態では、検出器は、対象物の位置を検出し、プロセッサは、対象物の位置から視聴者の垂直位置を推定する。幾つかの実施形態では、検出器は、リモートコントローラの位置を検出し、視聴者の位置は、リモートコントローラの位置よりも高い特定の高さであると推定される。幾つかの実施形態では、検出器は、３Ｄ視聴用眼鏡の位置を検出することによって視聴者の位置を検出する。
【００４３】
特定の実施形態に適合するテレビディスプレイデバイスは、少なくともトールモード及びショートモードで動作して画素の高さを調整できサブピクセル化された画素を有するディスプレイパネルを備える。検出器は、ディスプレイを視聴する視聴者の位置を検出するディスプレイパネルに接続される。１つ又はそれ以上のプログラムされたプロセッサは、視聴者に関する垂直視聴角度を計算し、計算された垂直視聴角度が所定の垂直視野角範囲内であるか否かを判定し、計算された垂直視聴角度が所定の垂直視野角範囲内であるか否かを判定した結果として、ディスプレイパネルの動作に関してトールモード又はショートモードを選択するように構成される。
【００４４】
幾つかの実施形態では、垂直視聴角度が所定の垂直視野角範囲内である場合には、ディスプレイは、トールモードで動作し、垂直視聴角度が所定の垂直視野角範囲内である場合には、ディスプレイは、ショートモードで動作する。幾つかの実施形態では、検出器は、視聴者を検出するように構成されたビデオカメラであり、プロセッサは、ディスプレイパネルに対する視聴者の垂直位置を求める。幾つかの実施形態では、検出器は、複数の視聴者を検出し、プロセッサは、各視聴者に関する視聴角度を計算し、プロセッサは、各視聴角度が所定の垂直視野角範囲内であるか否かを判定する。幾つかの実施形態では、プロセッサはさらに、ディスプレイが２Ｄコンテンツのディスプレイに関する動作モードであるか否かを判定し、その動作モードの場合には、電力をより少なく消費するトールモード及びショートモードのうちの１つを選択する。幾つかの実施形態では、検出器は、対象物の位置を検出し、プロセッサは、対象物の位置から視聴者の垂直位置を推定する。幾つかの実施形態では、検出器は、リモートコントローラの位置を検出し、視聴者の位置は、リモートコントローラの位置よりも高い特定の高さであると推定される。幾つかの実施形態では、検出器は、３Ｄ視聴用眼鏡の位置を検出することによって視聴者の位置を検出する。幾つかの実施形態では、ディスプレイパネルは、マイクロポラライズディスプレイパネルである。
【００４５】
別のテレビディスプレイデバイスは、少なくともトールモード及びショートモードで動作して画素の高さを調整できサブピクセル化された画素を有するディスプレイパネルを備える。検出器は、ディスプレイを視聴する視聴者の位置を検出するディスプレイパネルに接続される。１つ又はそれ以上のプログラムされたプロセッサは、視聴者に関する垂直視聴角度を計算し、計算された垂直視聴角度が所定の垂直視野角範囲内であるか否かを判定し、特定の方向にディスプレイパネルを傾斜させることによりディスプレイの角度を調整することによって電力消費量を低減できることを通知するメッセージをディスプレイパネルに表示するように構成される。
【００４６】
幾つかの実施形態では、プロセッサは、判定する段階の結果として、ディスプレイパネルの動作に関してトールモード及びショートモードを選択する。幾つかの実施形態では、垂直視聴角度が所定の垂直視野角範囲内である場合には、プロセッサは、ディスプレイをトールモードで動作させることを選択し、垂直視聴角度が所定の垂直視野角範囲内である場合には、プロセッサは、ディスプレイをショートモードで動作させることを選択する。幾つかの実施形態では、プロセッサは、ディスプレイが２Ｄコンテンツのディスプレイに関する動作モードであるか否かを判定し、その動作モードの場合には、電力をより少なく消費するトールモード及びショートモードのうちの１つを選択する。幾つかの実施形態では、検出器は、視聴者を検出するように構成されたビデオカメラであり、プロセッサは、ディスプレイパネルに対する視聴者の垂直位置を求める。幾つかの実施形態では、検出器は、複数の視聴者を検出し、プロセッサは、各視聴者に関する視聴角度を計算し、判定する段階は、プロセッサが、各視聴角度が所定の垂直視野角範囲内であるか否かを判定する段階を含む。幾つかの実施形態では、検出器は、対象物の位置を検出し、プロセッサは、対象物の位置から視聴者の垂直位置を推定する。幾つかの実施形態では、検出器は、リモートコントローラの位置を検出し、視聴者の位置は、リモートコントローラの位置よりも高い特定の高さであると推定される。幾つかの実施形態では、検出器は、３Ｄ視聴用眼鏡の位置を検出することによって視聴者の位置を検出する。幾つかの実施形態では、ディスプレイパネルは、マイクロポラライズディスプレイパネルである。
【００４７】
別の方法は、ディスプレイパネルに接続された検出器において、ディスプレイを視聴する視聴者の位置を検出する段階と、プロセッサにおいて、視聴者に関する垂直視聴角度を計算する段階と、プロセッサにおいて、計算された垂直視聴角度を、最適な視聴角度又は所定の垂直視野角範囲と比較する段階と、ユーザがディスプレイパネルを傾斜させることを提案するメッセージをディスプレイに表示する段階とを含む。
【００４８】
幾つかの実施形態では、メッセージは、特定の方向にディスプレイパネルを傾斜させることによるディスプレイの角度調整を提案する。幾つかの実施形態では、プロセッサは、ディスプレイが２Ｄコンテンツのディスプレイに関する動作モードであるか否かを判定し、その動作モードの場合には、電力をより少なく消費するトールモード及びショートモードのうちの１つを選択する。幾つかの実施形態では、検出器は、視聴者を検出するように構成されたビデオカメラを含み、プロセッサは、ディスプレイパネルに対する視聴者の垂直位置を求める。幾つかの実施形態では、検出器は、複数の視聴者を検出し、プロセッサは、各視聴者に関する視聴角度を計算する。幾つかの実施形態では、検出器は、対象物の位置を検出し、プロセッサは、対象物の位置から視聴者の垂直位置を推定する。幾つかの実施形態では、対象物は、リモートコントローラを含み、視聴者の位置は、リモートコントローラの位置よりも高い特定の高さであると推定される。幾つかの実施形態では、検出器は、３Ｄ視聴用眼鏡の位置を検出することによって視聴者の位置を検出する。
【００４９】
テレビディスプレイデバイスは、ディスプレイパネルと、ディスプレイパネルに接続され、ディスプレイを視聴する視聴者の位置を検出する検出器とを有する。１つ又はそれ以上のプログラムされたプロセッサは、視聴者に関する垂直視聴角度を計算し、計算された垂直視聴角度を、最適な視聴角度又は所定の垂直視野角範囲と比較し、ユーザがディスプレイパネルを傾斜させることを提案するメッセージをディスプレイに表示するように構成される。
【００５０】
幾つかの実施形態では、メッセージは、特定の方向にディスプレイパネルを傾斜させることによるディスプレイの角度調整を提案する。幾つかの実施形態では、プロセッサは、ディスプレイが２Ｄコンテンツのディスプレイに関する動作モードであるか否かを判定し、その動作モードの場合には、電力をより少なく消費するトールモード及びショートモードのうちの１つを選択する。幾つかの実施形態では、検出器は、視聴者を検出するように構成されたビデオカメラを含み、プロセッサは、ディスプレイパネルに対する視聴者の垂直位置を求める。幾つかの実施形態では、検出器は、複数の視聴者を検出し、プロセッサは、各視聴者に関する視聴角度を計算する。幾つかの実施形態では、検出器は、対象物の位置を検出し、プロセッサは、対象物の位置から視聴者の垂直位置を推定する。幾つかの実施形態では、対象物は、リモートコントローラを含み、視聴者の位置は、リモートコントローラの位置よりも高い特定の高さであると推定される。幾つかの実施形態では、検出器は、３Ｄ視聴用眼鏡の位置を検出することによって視聴者の位置を検出する。
【００５１】
別のテレビディスプレイデバイスは、少なくともトールモード及びショートモードで動作して画素の高さを調整できサブピクセル化された画素を有するマイクロポラライズディスプレイパネルを備える。ビデオカメラは、ディスプレイを視聴する１又はそれ以上の視聴者の位置を検出するディスプレイパネルに接続される。１つ又はそれ以上のプログラムされたプロセッサは、１又はそれ以上の視聴者の各々に関する垂直視聴角度を計算し、１又はそれ以上の視聴者の各々に関して計算された垂直視聴角度が所定の垂直視野角範囲内であるか否かを判定し、特定の方向にディスプレイパネルを傾斜させることによりディスプレイの角度を調整することによって電力消費量を低減できることを通知するメッセージをディスプレイパネルに表示し、判定の結果として、ディスプレイパネルの動作に関してトールモード及びショートモードを選択し、垂直視聴角度が所定の垂直視野角範囲内である場合には、プロセッサが、ディスプレイをトールモードで動作させることを選択し、垂直視聴角度が所定の垂直視野角範囲内である場合には、プロセッサが、ディスプレイをショートモードで動作させることを選択するようにプログラムされる。
【００５２】
少なくともトールモード及びショートモードで動作可能なサブピクセル化された画素を有するディスプレイパネルにおいて画素の高さを調整する方法は、プロセッサにおいて、視聴者が低電力動作モードと高電力動作モードとの間で選択することを引き起こす表示をもたらす段階と、視聴者が高電力動作モードを選択した場合に、ディスプレイパネルの動作に関してショートモードを選択する段階と、視聴者が低電力動作モードを選択した場合に、プロセッサにおいて、視聴者に関する垂直視聴角度を計算し、計算された垂直視聴角度が所定の垂直視野角範囲内であるか否かを判定する段階と、プロセッサが、判定する段階の結果としてディスプレイパネル動作のトールモードを選択する段階とを含む。
【００５３】
幾つかの実施形態では、垂直視聴角度が所定の垂直視野角範囲内である場合には、ディスプレイは、トールモードで動作し、垂直視聴角度が所定の垂直視野角範囲内である場合には、ディスプレイは、ショートモードで動作する。幾つかの実施形態では、検出器は、視聴者を検出するように構成されたビデオカメラであり、プロセッサは、ディスプレイパネルに対する視聴者の垂直位置を求める。幾つかの実施形態では、検出器は、複数の視聴者を検出し、プロセッサは、各視聴者に関する視聴角度を計算し、プロセッサは、各視聴角度が所定の垂直視野角範囲内であるか否かを判定する。幾つかの実施形態では、検出器は、対象物の位置を検出し、プロセッサは、対象物の位置から視聴者の垂直位置を推定する。
【００５４】
当業者であれば、上記の技術を考慮した上で、上記の例示的な実施形態の幾つかが、好適なコンピュータプログラムを用いてプログラムされた１つ又はそれ以上のプログラムされたプロセッサの使用に基づいていることを理解するであろう。しかしながら、別の実施形態は、専用ハードウェア及び／又は専用プロセッサなどのハードウェア構成の均等形態を使用して実装できるので、本発明は、このような例示的な実施形態に限定されるものではない。同様に、汎用コンピュータ、マイクロプロセッサベースコンピュータ、マイクロコントローラ、光コンピュータ、アナログコンピュータ、専用コンピュータ、特定用途向け集積回路、及び／又は専用ハードワイヤードロジックを使用して、別の均等な実施形態を構成することができる。
【００５５】
本明細書で説明する幾つかの実施形態は、概要がフローチャートの形式で上記に説明され、任意の好適な電子的な記憶媒体又はコンピュータ可読記憶媒体に格納できる、プログラム命令を実行するプログラムされたプロセッサを使用して実装されるか、或いはそのように実装することができる。しかしながら、当業者であれば、本発明の教示を考慮した上で、上記に説明した処理は、本発明の実施形態から逸脱することなく、任意の数の変更例及び多くの好適なプログラミング言語で実装できることを理解するであろう。例えば、本発明の特定の実施形態から逸脱することなく、実行される特定の動作の順序を変更できる場合があり、別の動作を追加すること、又は動作を削除することができる。本発明の特定の実施形態から逸脱することなく、エラー・トラッピング、タイムアウトなどを追加及び／又は改良すること、並びにユーザインタフェース及び情報提示に変更を加えることができる。このような変更例は、予期及び考慮された均等形態である。
【００５６】
幾つかの例示的な実施形態を説明したが、多くの代替例、修正例、置換例、及び変更例は、前述の説明を考慮すると、当業者に明らかになるであろう。
【図１】
2015513687.tif 000003
【図２】
2015513687.tif 000004
【図３】
2015513687.tif 000005
【図４】
2015513687.tif 000006
【図５】
2015513687.tif 000007
【図６】
2015513687.tif 000008
【図７】
2015513687.tif 000009
【図８】
2015513687.tif 000010
【図９】
2015513687.tif 000011
【図１０】
2015513687.tif 000012
【国際調査報告】
2015513687.tif 000013
2015513687.tif 000014
2015513687.tif 000015